(57)【要約】【課題】水筒の蓋の裏面に取付けられ、飲み口の端面に押し当てられシールを図るパッキンについて、長期にわたり脱落し難い取付け構造を部品の増加なく実現することである。【解決手段】蓋４６の裏面に設けた凹部５５の内周面にアンダーカット部５６を設け、その凹部５５に嵌合したパッキン４７の一部を該アンダーカット部５６に係合させた構成とした。【選択図】　図５
2004097478.tif 000002
【特許請求の範囲】
【請求項１】
蓋の裏面に設けた凹部にパッキンを嵌合し、蓋を閉鎖した際にそのパッキンを飲み口端面に押し当てることによりシールするようにした飲み口付き水筒のシール構造において、上記凹部の内周面にアンダーカット部を設け、その凹部に嵌合したパッキンの一部を該アンダーカット部に係合させたことを特徴とする飲み口付き水筒のシール構造。
【請求項２】
上記凹部の底面に飲み口の端面形状に応じた小凹部を設けたことを特徴とする請求項１に記載の飲み口付き水筒のシール構造。
【請求項３】
上記凹部に対応した蓋の表面に平坦な上端面を形成し、その上端面にラベルを貼着したことを特徴とする請求項１又は２に記載の飲み口付き水筒のシール構造。
【発明の詳細な説明】
【０００１】
【発明の属する技術分野】
この発明は、飲み口付き水筒のシール構造に関するものである。なお、飲み口付き水筒はストロー付き水筒と呼ばれる場合もある。
【０００２】
【従来の技術】
蓋付きの栓に出没自在の飲み口を設けた飲み口付き水筒が一般に普及している。この水筒は、一般に、水筒本体の開口部に嵌合された栓に貫通部を設け、該貫通部に飲み口部材を一定のストロークをもって上下動可能に挿通し、その飲み口部材の下端部にチューブを接続し、そのチューブの下端部を水筒本体内部に垂下している。上記の飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を没入させるようにしている。使用者が蓋を開けると、飲み口部材がコイルばねの付勢力により一定ストロークだけ上昇するので、使用者はその先端の飲み口に直接口をつけて水筒本体内部の飲料を吸引して飲むことができる。また、上記の蓋の裏面には、パッキン（シール部材）が取付けられ、蓋を閉鎖した際にそのパッキンを飲み口の上端面に押し当て、該端面のシールを図り、水漏れを防止するようにしている（例えば、特許文献１から３参照）。
【０００３】
上記のシール構造において、パッキンを蓋の裏面に取付ける手段として、蓋の中央部表面を上方に突き出してその裏面に凹部を形成するとともに該凹部にパッキンを嵌合し、表面に突き出した部分を隠すために蓋にカバー部材を被せたものが知られている（特許文献１参照）。また、蓋の裏面に環状のリブを設け、そのリブの内側に形成された凹部にパッキンを嵌合したものが知られている（特許文献２参照）。さらに、蓋の裏面に取付けたパッキン押さえ部材によってパッキンを支持するようにしたものも知られている（特許文献３参照）。
【０００４】
【特許文献１】
実公平６−６７３９号公報（第３欄４３〜４９行目、第１図）
【特許文献２】
登録実用新案第３０６０６９４号公報（図３の符号８ｃ）
【特許文献３】
特開２０００−１０６９４７号公報（段落００２０、図２、図３）
【０００５】
【発明が解決しようとする課題】
上記の特許文献１及び２に記載されたシール構造は、いずれも凹部にパッキンを嵌合しただけのものであるので、製作の寸法誤差、パッキンの弾性の劣化等により、使用中に脱落し易い問題がある。
【０００６】
また、特許文献１のように、蓋の中央部表面を上方に突き出してその裏面に凹部を形成したものは、その突き出し部分を隠すためのカバー部材が必要になり、部品点数が増える問題がある。特許文献２のように、蓋の裏面にリブを設けると、そのリブの形状に沿った成形時のヒケが表面側に生じるため、製品の外観を損なう問題がある。さらに、特許文献３のように、パッキン押さえ部材を用いるものは製品の部品増加の原因となる問題がある。
【０００７】
そこで、この発明は、飲み口付き水筒の蓋のシール構造における上記のような問題を解消し、部品点数の増加がなく、しかも確実にシールが行えるシール構造を提供することを課題とする。
【０００８】
【課題を解決するための手段】
上記の課題を解決するために、この発明は、蓋の裏面に設けた凹部にパッキンを嵌合し、蓋を閉鎖した際にそのパッキンを飲み口端面に押し当てることによりシールするようにした飲み口付き水筒のシール構造において、上記凹部の内周面にアンダーカット部を設け、その凹部に嵌合したパッキンの一部を該アンダーカット部に係合させた構成を採用したものである。
【０００９】
上記の構成によると、パッキンが凹部のアンダーカット部に嵌入されるため、製作の寸法誤差、パッキンの弾性の劣化等があっても、パッキンが脱落するおそれがない。
【００１０】
また、上記凹部の底面に飲み口の端面形状に応じた小凹部を設けた構成を採用すると、閉栓時の飲み口とパッキンの上下方向の位置関係にバラツキが生じたとしても、パッキンが弾性変形する変形量と、パッキンが小凹部に嵌入する嵌入量の和の範囲内でバラツキを吸収するので、安定したシールが行える。
【００１１】
さらに、上記凹部に対応した蓋の表面に平坦な上端面を形成し、その上端面にラベルを貼着した構成を採用すると、前記のアンダーカット部成形のための型抜き穴がそのラベルにより隠されるので、外観を損なうことがない。なお、上記の上端面を前方に傾斜して形成すると、水筒の前方からラベルが見え易くなる。
【００１２】
【発明の実施の形態】
以下、この発明の実施形態を添付図面に基づいて説明する。図１に示すように、実施形態の飲み口付き水筒は、真空二重容器でなる水筒本体１の肩部２から開口部３の範囲にわたりこれらの部分をカバーする肩部材４を嵌合一体化し、その肩部材４に栓５を着脱自在に螺合している。栓５は、肩部材４の外周部に嵌合された栓リング６と、その栓リング６の内側に嵌合された栓体７とにより構成される。
【００１３】
上記の栓リング６の下端部内周面にねじ条８が設けられ、肩部材４のねじ条９と螺合される。栓リング６の上端に開口１１が設けられ（図２参照）、その開口１１の後端部にヒンジ受け部１２が設けられる。上記開口１１の内周面に周方向のリブ１３が設けられるとともに、ヒンジ受け部１２下方の開口１１の内面下端に位置決め凹部１４が設けられる。また、ヒンジ受け部１２に半径方向の一対のガイド壁１５、１５が設けられる。
【００１４】
前記の栓体７の下端外周面には、図１、図２に示すようにパッキン１６が装着され、また上端面に開口１７を有する深いガイド凹部１８が設けられる。そのガイド凹部１８の下端に貫通部１９が設けられる。ガイド凹部１８はその中心線が栓５の前方に傾斜した状態に設けられることから、開口１７は図２に示すように、前方に傾斜している。また、下端の貫通部１９に近い内周部に段部２１が設けられ、その段部２１から上端の開口１７までの部分が若干大径に形成される。貫通部１９の内径面には対向一対のガイド用の切欠き部２２、２２が設けられる（図２参照）。また、開口１７の後端部に半径方向の一対のガイド壁２３，２３が設けられる。このガイド壁２３、２３は後述のように、前記栓リング６のガイド壁１５、１５と突き合され、ロックボタン２４のガイド部２５を構成する。また、開口１７の外周部下方において水平の上端面２６が設けられ、さらに、その上端面２６の下方の外周面に中間段部２７が設けられる。
【００１５】
上記の栓体７は栓リング６の下方から挿入され、栓リング６の開口１１に栓体７の上端部を差し込むとともに、その上端面２６の外周面をリブ１３に若干の抵抗をもって嵌合させる。即ち、スナップフィットさせる。また、これと同時に、中間段部２７が開口１１の下端面に対向して、上方への抜け出しを防止して上下方向の位置決めを行う。また、前記のガイド部２５下方に設けた位置決め突片２８（図１、図２参照）を、開口１１の位置決め凹部１４に嵌合させ、栓体７の周方向の位置決めを行う。
【００１６】
上記栓体７のガイド凹部１８に飲み口部材３１が上下方向にスライド可能に挿通される。飲み口部材３１はパイプ状の部材で形成され、図２に示すように、中間部につば３２が設けられ、そのつば３２とその下部に設けたばね受け部３３との間にパッキン３４が嵌合される。そのつば３２から上端までの間が飲み口３５となる。つば３２とパッキン３４は段部２１より上部のガイド凹部１８の大径部に収納され、つば３２が飲み口部材３１のスライドを案内する。パッキン３４は、飲み口部材３１が下端位置にある場合において段部２１上に密着しシールを図る。
【００１７】
上記ばね受け部３３の下方に、飲み口部材３１の上下動ストロークより若干長い案内部３８が設けられ、さらにその案内部３８の下部にねじ部３９、そのねじ部３９の下部に接続口４１が設けられる。上記の案内部３８には、その全長にわたり対向一対のガイドリブ４２、４２が設けられる。このガイドリブ４２、４２は、ガイド凹部１８下端の貫通部１９に設けられた前記の切欠き部２２、２２（図２参照）嵌合され、これにより飲み口部材３１の中心線周りの回り止めが図られる。
【００１８】
上記の案内部３８の周りに前記のコイルばね３６が嵌合される。コイルばね３６の内径は、その自然な状態で前記のリブ４２、４２を含む案内部３８の外径より大に形成され、コイルばね３６は案内部３８の長さ方向に自由に移動することができる。
【００１９】
上記のコイルばね３６は、その下端部を貫通部１９に係合させることにより、飲み口部材３１に上向きの付勢力を与え上方にスライドさせるが、そのスライドストロークの上限を定めるためのストッパーとしてナット４４が前記のねじ部３９に螺合される。また、前記の接続口４１に柔軟なチューブ４５の上端が差し込まれる。チューブ４５の下端部は、図１に示すように、水筒本体１の内壁に接触してわん曲され下端部が底面に達する。これにより飲み口部材３１が水筒本体１の内部に連通される。
【００２０】
前述のヒンジ受け部１２に回動自在に取付けられた蓋４６は、栓５の上部を閉鎖すると同時にその内面に装着したシール部材としてのパッキン４７により飲み口３５の上端面を押し込み、コイルばね３６を圧縮させつつパッキン３４が段部２１に当たるまで、即ち飲み口部材３１のスライドストロークの下限まで押し込む。蓋４６を閉鎖状態にロックするために前述のロックボタン２４がガイド部２５に挿入される。ロックボタン２４は、その先端上部にロック爪４８が設けられるとともに、コイルばねにより外向きに付勢される。ロックボタン２４が押し込まれると、ロック爪４８が蓋４６の係合部４９に係合され、蓋４６を閉鎖状態にロックする（図１の実線の状態参照）。このロックボタン２４をさらに押し込むとロックが解除され、蓋４６は飲み口部材３１を上向きに押上げるコイルばね３６の付勢力により押し開かれ、開放される（図１の二点鎖線参照）。
【００２１】
前記の蓋４６は、図３（ａ）に示すように、椀状に形成され、水筒の正立状態で水平となる下端縁５１に対して傾斜角θを持って前方に傾斜した面で削ぎ落とした形状の円形の上端面５２が、その周辺に椀部よりわずかに凹入して形成される（同図（ｂ）参照）。また、蓋４６の後端面に下端縁５１と平行に突き出したアーム５３を介してヒンジ軸５４が設けられる。このヒンジ軸５４が前記栓リング６のヒンジ受け部１２に嵌合され、蓋４６が開閉自在に取付けられる。
【００２２】
上記蓋４６の裏面において、図３（ｃ）に示すように、上記上端面５２の範囲内に、その中心部に中心をもった長円形の凹部５５が設けられる。その凹部５５の内周面の長軸側の両側円弧部において、幅ａの所定長さのアンダーカット部５６、５６が設けられる。また、各アンダーカット部５６、５６の幅ａより若干幅の広い型抜き穴５７、５７を上端面５２に設け、成形時の型抜きを可能にしている。また、その凹部５５の底部に、前記の飲み口３５の端面形状に合致する長円形の溝からなる小凹部５８が、該凹部５５と同芯の相似形状に形成される。
【００２３】
上記の凹部５５に前記のパッキン４７が嵌合されるが、そのパッキン４７は、図４に示すように、ゴム等の弾性部材により長円形に形成されるとともに、その長径側の円弧部分に係合リブ５９、５９が設けられる。パッキン４７は、図５に示すように、前記蓋４６の凹部５５に嵌合され、その係合リブ５９、５９が凹部５５のアンダーカット部５６、５６に係合される。
【００２４】
上記のように、凹部５５にパッキン４７を嵌合した状態で蓋４６を閉鎖すると、そのパッキン４７で飲み口３５を押下げる。その際、パッキン４７は、図５において二点鎖線で示すように、それ自体の弾性による変形と、小凹部５８に合致した飲み口３５の端面による押圧による変形とが重なった変形量をもって弾性変形する。その変形量により、蓋４６と飲み口３５の位置関係のバラツキが吸収される。
【００２５】
なお、前記の小凹部５８の形状は、図６（ａ）（ｂ）に示すように、中心部の凸部を無くした面状の長円形凹部であってもよい。
【００２６】
上記のように、アンダーカット部５６，５６を設けた場合、その幅ａが僅かであると、金型を無理抜きすることにより、型抜き穴５７を設けることなく成形することができるが、幅ａが一定以上に大きくなると、型抜き穴５７が必要になり、上端面５２にその穴が露出し外観を損なう。そのため、図５、図６（ａ）に示すように、円形の上端面５２の全面を覆うラベル６０を貼着する。前記のように、上端面５２は一定の傾斜角θで前方に傾斜しているので、ここに貼着されたラベル６０は、傾斜角のない場合に比べ顧客の意識を引き易い利点がある。
【００２７】
【発明の効果】
以上のように、この発明は、蓋裏面の凹部にアンダーカット部を設け、その凹部に嵌合したパッキンの一部を該アンダーカット部に係合させたことにより、部品を増加させることなく、長期にわたりパッキンが脱落し難く、安定したシールを行うことができる。
【００２８】
また、上記の凹部の底部に小凹部を設けることにより、蓋と飲み口の位置関係のバラツキを吸収することができる。さらに、上記凹部に対応した蓋の表面に平坦な上端面を設け、その上端面にラベルを貼着することにより、該上端面に生じた型抜き穴を覆い隠すことができ、さらに、その上端面を前方に傾斜するように形成することにより、ラベルが目立ち易くなる効果が得られる。
【図面の簡単な説明】
【図１】実施形態の断面図
【図２】同上の一部分解斜視図
【図３】（ａ）同上の蓋の断面図
（ｂ）（ａ）図の一部省略平面図
（ｃ）（ａ）図の一部省略底面図
【図４】（ａ）同上のパッキンの平面図
（ｂ）（ａ）図の平面図
（ｃ）（ａ）図の側面図
【図５】同上の蓋部分の一部省略拡大断面図
【図６】（ａ）蓋部分の他の例の一部省略拡大断面図
（ｂ）（ａ）図の一部省略底面図
【符号の説明】
１　水筒本体
２　肩部
３　開口部
４　肩部材
５　栓
６　栓リング
７　栓体
８　ねじ条
９　ねじ条
１１　開口
１２　ヒンジ受け部
１３　リブ
１４　位置決め凹部
１５　ガイド壁
１６　パッキン
１７　開口
１８　ガイド凹部
１９　貫通部
２１　段部
２２　切欠き部
２３　ガイド壁
２４　ロックボタン
２５　ガイド部
２６　上端面
２７　中間段部
２８　位置決め突片
３１　飲み口部材
３２　つば
３３　ばね受け部
３４　パッキン
３５　飲み口
３６　コイルばね
３８　案内部
３９　ねじ部
４１　接続口
４２　ガイドリブ
４３　係合溝
４４　ナット
４５　チューブ
４６　蓋
４７　パッキン
４８　ロック爪
４９　係合部
５１　下端縁
５２　上端面
５３　アーム
５４　ヒンジ軸
５５　凹部
５６　アンダーカット部
５７　型抜き穴
５８　小凹部
５９　係合リブ
６０　ラベル
【図１】
2004097478.tif 000003
【図２】
2004097478.tif 000004
【図３】
2004097478.tif 000005
【図４】
2004097478.tif 000006
【図５】
2004097478.tif 000007
【図６】
2004097478.tif 000008